(57)【要約】      （修正有）【課題】低温になって硬化した場合、或いは比較的硬い合成樹脂によって形成された場合でも、中栓の注出口の開口にあたって、切断溝が容易に切断でき、除去部を抜栓することができるキャップを提供する。【解決手段】容器本体Ａの口筒部１に被嵌される中栓Ｂと外キャップＤとからなるキャップであって、中栓は、注出口を開口する切断溝１２を刻設した除去部１１に、支柱１３を介してプルリング１４を立設した底壁６を具備した内周壁５を備え、支柱は下部断面外周が円形に形成されており、除去部は注出口部と支柱連設部とからなり、支柱連設部が、支柱下面外縁を囲んで形成された頭部と、頭部より細巾であって注出口部に連設される接続部とから構成され、切断溝が支柱下面外縁に近接して刻設されている。【選択図】図１
2008207854.tif 000002
【特許請求の範囲】
【請求項１】
容器本体の口筒部に被嵌される中栓と、外キャップとからなるキャップであって、
中栓は、注出口を開口する切断溝を刻設した除去部に、支柱を介してプルリングを立設した底壁を具備した内周壁を備え、
前記支柱は、下部断面外周が円形に形成されており、
除去部は、注出口部と支柱連設部とからなり、
支柱連設部が、支柱下面外縁を囲んで形成された頭部と、該頭部より細巾であって注出口部に連設される接続部とから構成され、切断溝が支柱下面外縁に近接して刻設されていることを特徴とする中栓を具えたキャップ。
【発明の詳細な説明】
【技術分野】
【０００１】
本発明は、キャップ、とくにプルリングを引き上げて切断溝を切断して除去部を抜栓し、注出口を開口するようにしたキャップに関するものである。
【背景技術】
【０００２】
食用液などを収納する容器本体の口筒部に、注出筒を設けた中栓と蓋体とからなるキャップを被嵌し、中栓の注出口の開口にあたって、支柱を介して除去部に連設したプルリングを引張り上げ、切断溝を切断して除去部を抜栓し、注出口を形成するようにした容器は従来より知られている（例えば、特許文献１参照）。
【特許文献１】特開２００３−１０４４１７号公報
【発明の開示】
【発明が解決しようとする課題】
【０００３】
しかしながら、従来の容器の構成では、使用場所が寒冷地であったり、使用直前まで低温保存していたりすると、キャップが低温により硬化するので、切断溝の切断に強い力が必要となり、簡単に切断できないという問題があった。
さらに、除去部の抜栓方向が、プルリングを支柱がキャップ中心側へ倒れる方向に引張る場合には、簡単に切断できるが、他の方向に引張ったときには、切断溝を容易に切断できないという問題があった。
【０００４】
本発明は、上記の問題を解決することを課題とし、中栓が、低温になって硬化した場合、或いは比較的硬い合成樹脂によって形成された場合でも、中栓の注出口の開口にあたって、切断溝が容易に切断でき、除去部を抜栓することができるキャップを提供することを目的とする。
【課題を解決するための手段】
【０００５】
本発明は、上記の課題を解決するため、キャップとして、容器本体の口筒部に被嵌される中栓と、外キャップとからなるキャップであって、中栓は、注出口を開口する切断溝を刻設した除去部に、支柱を介してプルリングを立設した底壁を具備した内周壁を備え、前記支柱は、下部断面外周が円形に形成されており、除去部は、注出口部と支柱連設部とからなり、支柱連設部が、支柱下面外縁を囲んで形成された頭部と、該頭部より細巾であって注出口部に連設される接続部とから構成され、切断溝が支柱下面外縁に近接して刻設されていることを特徴とする構成を採用する。
【発明の効果】
【０００６】
本発明は、注出口を開口する切断溝を刻設した除去部に支柱を介してプルリングを立設した底壁を具備した内周壁を備えた中栓において、支柱の下部断面が円形で形成され、円形の支柱に近接し、支柱下面外縁に沿って切断溝を刻設して、円形に形成された支柱連設部を具えていることにより、除去部の抜栓時に、プルリングの引張り力を、円形支柱連設部の周りの切断溝部に集中させることができ、引張り初期時に、切断溝を簡単に切断することができ、中栓が低温になり硬化している場合でも、除去部を取除き抜栓することが容易にできるようになった。
【発明を実施するための最良の形態】
【０００７】
次に、本発明のキャップの実施形態について、図面を参照して説明する。
図１において、Ａは容器本体、Ｂは容器本体Ａの口筒部に装着される中栓、Ｃは中栓Ｂの内周壁上部に脱着可能に装着される内キャップ、Ｄは容器内を密封する外キャップである。
容器本体Ａは、口筒部１と肩部２とを具えており、口筒部１には、上部外周に、係合突条３が設けられ、その下方にネックリング４が設けられている。
【０００８】
図１、２に示すように、中栓Ｂは、内周壁５と、内周壁５の下端内周に連設される底壁６と、内周壁５の中間部外周に連設される上壁７と、上壁７の外縁下面に垂設される外筒８とを具えている。
内周壁５の外周上部には、内キャップＣと係合する係止部９が設けられ、外筒８の内周下部には、容器本体Ａの口筒部１の係合突条３と係合する係合部１０が設けられている。
【０００９】
底壁６には、注出口を形成する除去部１１を切断する切断溝１２が刻設されている。
除去部１１は、注出口部１１ａと、上面に円形の支柱１３を連設した支柱連設部１１ｂとから形成され、支柱連設部１１ｂの上面には、下方部の断面形状が内方に肉抜き凹部１３ａを凹設し、円形に形成された支柱１３が立設され、支柱１３の先端にはプルリング１４が連設されている。
【００１０】
支柱連設部１１ｂは、円形の支柱１３に沿って形成された円形の頭部１１ｂ１と、該頭部１１ｂ１より細巾で注出口部１１ａに連設される接続部１１ｂ２とからなり、円形の支柱１３に、近接して切断溝部１２ａが支柱連設部１１ｂの外縁に刻設され、注出口部１１ａの外縁には、切断溝部１２ｂが刻設されている。
【００１１】
内キャップＣは、注出筒１５と、注出筒１５下端外周に連設された上壁１６と、上壁１６下面に垂設され、外周が中栓Ｂの内周壁５内周に係合する内筒１７と、上壁１６外縁に垂設され、内周が中栓Ｂの内周壁５に装着される係合筒１８とを具えている。
係合筒１８には、内周に中栓Ｂの内周壁５外周の係止部９と係合する係止突部１９が設けられ、外周につまみ部２０が設けられている。
【００１２】
外キャップＤは、頂壁２５と、頂壁２５の中央下面に垂設され、外周が内キャップＣの注出筒１５内周に係合する係合筒２６と、頂壁２５下面の所定の位置に垂設され、内周が容器本体Ａの口筒部１のネックリング４に係合し、外キャップＤを容器本体Ａに装着する内筒２７と、頂壁２５外縁に垂設された外筒２８とを具えている。
【００１３】
次に、本実形態のキャップの作用効果について説明する。
キャップの使用にあたって、容器本体Ａから外キャップＤを外し、開蓋した後、中栓Ｂの上部から内キャップＣを外す。
次に、中栓Ｂのプルリング１４に手指などを掛けて上方に引張り、除去部１１を切断溝１２を介して底壁６から抜栓し、注出口を形成させる。
【００１４】
中栓Ｂの抜栓の際には、除去部１１の円形の支柱連設部１１ｂが、支柱１３下面に近接して、外縁を囲むように切断溝部１２ａが刻設されているため、図３に示すように、プルリング１４を注出口部１１ａ側上方に引上げた時に、支柱１３に対する力Ｆが支柱連設部１１ｂに伝わり、切断溝部１２ａに直接作用させ、切断溝１２の薄肉部を簡単に切断することができる。
さらに、支柱連設部１１ｂが円形に形成され、切断溝部１２ａが支柱１３に近接して設けられているので、周長が短くなり、単位長さ当たりにかかる力を大きくすることができる。
【００１５】
また、支柱１３とともに、支柱連設部１１ｂが円形に形成されているため、抜栓の際に、プルリング１４を横斜め方向に引張ったとしても、支柱１３に対する横斜め方向の力が支柱連設部１１ｂに伝わり、切断溝部１２ａの対応する部分に直接作用させることができる。
【００１６】
本発明の中栓Ｂは、除去部１１の抜栓時に、プルリング１４を引張ることで、支柱１３および支柱連設部１１ｂの形状により、引張り力を支柱連設部１１ｂの周りの切断溝部１２ａに集中させることができ、従来のものに比べ、簡単に切断溝１２を切断することができ、除去部１１を取り除き抜栓することができる。
抜栓後には、中栓Ｂに内キャップＣを被嵌し、その上から、外キャップＤを被嵌しておく。
【００１７】
内容液の注出にあたっては、外キャップＤを取外して容器を傾け、内キャップＣの注出筒１５より注出する。
その際、内容液を、内周壁５と内キャップＣの内筒１７内周と上壁１６下面の内方に溜めることができるので、内キャップＣの注出筒１５から一定量の内容液を注ぐことができる。
また、容器本体Ａが押圧可能なものである場合には、容器本体Ａの胴部を押圧して、注出筒１５から勢いよく注出することもできる。
【００１８】
また、内キャップＣを取外し、中栓Ｂの内周壁５内周を通じて注出することもできるが、その際には、容器の傾きを手加減により調節し、所望する注出量を得ることができる。
【００１９】
前記実施形態では、中栓Ｂと内キャップＣとを別体で形成したが、中栓Ｂの上部にヒンジを介して内キャップＣを連設して一体成形するようにしてもよい。
内キャップＣを中栓Ｂから外した際に、ヒンジで連設されているため、内キャップのみが紛失してしまうことを防止することができる。
【００２０】
本発明は、中栓Ｂの底壁６に関する発明であり、前記実施形態では、中栓Ｂの上部に内キャップＣを装着しているが、必要でなければ内キャップを設けなくてもよい。
また、外キャップＤの容器への装着方法も、例えば、中栓Ｂの外周にねじを設け、外キャップＤの内周と螺合させたり、中栓と外キャップとをヒンジを介して連設し、装着されるようにしてもよい。
中栓の底壁に関する構成以外は、前記実施形態に限定されない。
【産業上の利用可能性】
【００２１】
本発明は、プルリングの支柱を一定の径を有する円形とし、プルリングを垂直に引張ることで、底壁から注出口の除去部を、切断溝を介して簡単に切断して取り除くことができる。
また、プルリングを引張り除去部を抜栓する容器であれば、内容液の如何にかかわらず、どのような容器にも使用可能である。
【図面の簡単な説明】
【００２２】
【図１】本発明の容器の縦断正面図である。
【図２】中栓の説明図で、（ａ）は上面図、（ｂ）は縦断正面図、（ｃ）は下面図である。
【図３】中栓の抜栓時の説明図である。
【符号の説明】
【００２３】
Ａ            容器本体
Ｂ            中栓
Ｃ            内キャップ
Ｄ            外キャップ
１            口筒部
２            肩部
３            係合突条
４            ネックリング
５            内周壁
６            底壁
７、１６      上壁
８、２８      外筒
９            係止部
１０          係合部
１１          除去部
１１ａ        注出口部
１１ｂ        支柱連設部
１１ｂ１      頭部
１１ｂ２      接続部
１２          切断溝
１２ａ、１２ｂ  切断溝部 
１３          支柱
１３ａ        凹部
１４          プルリング
１５          注出筒
１７、２７    内筒
１８、２６    係合筒
１９          係止突部
２０          つまみ部
２５          頂壁
【図１】
2008207854.tif 000003
【図２】
2008207854.tif 000004
【図３】
2008207854.tif 000005